(57)【特許請求の範囲】
【請求項１】
複数の他の制御装置とネットワークを介して接続される制御装置であって、
前記複数の他の制御装置と、前記ネットワークを介してコマンドを送受信する送受信手段と、
HDMIケーブルを介して接続されている第１の再生装置を制御する制御手段と
を含み、
前記制御手段は、前記第１の再生装置で再生中のコンテンツを、前記第１の再生装置と異なる第２の再生装置で、前記第１の再生装置で再生を停止した位置から再生を開始する指示がなされた場合、前記複数の他の制御装置のなかから、前記第２の再生装置とHDMIケーブルを介して接続されている前記他の制御装置である再生制御装置を特定するための選択情報を表示させるとともに、前記HDMIケーブルのCECライン経由で、前記第１の再生装置から、前記再生中のコンテンツを識別するコンテンツ識別情報と前記コンテンツの再生位置情報を含む再生情報を取得し、
前記送受信手段が、前記第２の再生装置が利用予定であることを示す利用予定情報と前記再生情報とを含み、前記第１の再生装置で再生中のコンテンツを前記第１の再生装置で再生を停止した位置から再生を開始させる継続再生コマンドを、前記選択情報に基づいて選択された前記再生制御装置に送信する
制御装置。
【請求項２】
前記ネットワークはLAN(local area network)であり、
前記送受信手段は、前記他の制御装置から前記LANを介して送信されてくる前記コマンドを送受信する
請求項１に記載の制御装置。
【請求項３】
前記制御装置は、前記第１の再生装置から受信した音声信号に基づいて音声を出力する音声出力装置とも前記HDMIケーブルを介して接続されており、
前記制御手段は、前記コンテンツを再生する際に前記音声出力装置から出力される音声の音量を表す音量情報を、前記HDMIケーブルのCECライン経由で取得し、
前記送受信手段は、前記利用予定情報、前記音量情報、及び前記再生情報を含む継続再生コマンドを、前記選択情報に基づいて選択された前記再生制御装置に送信する
請求項１に記載の制御装置。
【請求項４】
複数の他の制御装置とネットワークを介してコマンドを送受信する送受信手段と、HDMIケーブルを介して接続されている第１の再生装置を制御する制御手段とを含む制御装置の制御方法であって、
前記制御手段が、前記第１の再生装置で再生中のコンテンツを、前記第１の再生装置と異なる第２の再生装置で、前記第１の再生装置で再生を停止した位置から再生を開始する指示がなされた場合、前記複数の他の制御装置のなかから、前記第２の再生装置とHDMIケーブルを介して接続されている前記他の制御装置である再生制御装置を特定するための選択情報を表示させるとともに、前記HDMIケーブルのCECライン経由で、前記第１の再生装置から、前記再生中のコンテンツを識別するコンテンツ識別情報と前記コンテンツの再生位置情報を含む再生情報を取得し、
前記送受信手段が、前記第２の再生装置が利用予定であることを示す利用予定情報と前記再生情報とを含み、前記第１の再生装置で再生中のコンテンツを前記第１の再生装置で再生を停止した位置から再生を開始させる継続再生コマンドを、前記選択情報に基づいて選択された前記再生制御装置に送信する
ステップを含む制御方法。
【請求項５】
複数の他の制御装置とネットワークを介して接続される制御装置であって、
前記複数の他の制御装置と、前記ネットワークを介してコマンドを送受信する送受信手段と、
HDMIケーブルを介して接続されている第１の再生装置を制御する制御手段と
を含み、
前記複数の他の制御装置のなかの、前記第１の再生装置と異なる第２の再生装置とHDMIケーブルを介して接続されている前記他の制御装置である再生制御装置において、前記第２の再生装置で再生中のコンテンツを、前記第１の再生装置で、前記第２の再生装置で再生を停止した位置から再生を開始する指示がなされた場合、
前記送受信手段が、前記第１の再生装置が利用予定であることを示す利用予定情報と、前記第２の再生装置で再生中のコンテンツを識別するコンテンツ識別情報及び前記コンテンツの再生位置情報を含む再生情報とを含み、前記第２の再生装置で再生中のコンテンツを前記第２の再生装置で再生を停止した位置から再生を開始させる継続再生コマンドを、前記再生制御装置から受信し、
前記制御手段が、受信した前記継続再生コマンドに基づいて、前記第１の再生装置が利用予定であることを示す情報を表示させ、受信した前記再生情報に基づいて、前記再生位置情報が示す位置から再生させるための再生コマンドを、前記HDMIケーブルのCECライン経由で前記第１の再生装置に供給して、再生させる
制御装置。
【請求項６】
前記制御手段は、さらに、前記再生制御装置から受信した前記コンテンツ識別情報に基づいて、前記第１の再生装置で再生させるコンテンツが前記第２の再生装置で再生されていたコンテンツと一致するか否かを判定する
請求項５に記載の制御装置。
【請求項７】
前記制御装置は、前記第１の再生装置から受信した音声信号に基づいて音声を出力する音声出力装置とも前記HDMIケーブルを介して接続されており、
前記送受信手段が前記再生制御装置から受信する前記継続再生コマンドには、前記コンテンツを再生する際の音声の音量を表す音量情報も含み、
前記制御手段は、前記音声出力装置から出力される音声の音量を、前記HDMIケーブルのCECライン経由で、前記音量情報が表す音量に制御する
請求項５に記載の制御装置。
【請求項８】
複数の他の制御装置とネットワークを介してコマンドを送受信する送受信手段と、HDMIケーブルを介して接続されている第１の再生装置を制御する制御手段とを含む制御装置の制御方法であって、
前記複数の他の制御装置のなかの、前記第１の再生装置と異なる第２の再生装置とHDMIケーブルを介して接続されている前記他の制御装置である再生制御装置において、前記第２の再生装置で再生中のコンテンツを、前記第１の再生装置で、前記第２の再生装置で再生を停止した位置から再生を開始する指示がなされた場合、
前記送受信手段が、前記第１の再生装置が利用予定であることを示す利用予定情報と、前記第２の再生装置で再生中のコンテンツを識別するコンテンツ識別情報及び前記コンテンツの再生位置情報を含む再生情報とを含み、前記第２の再生装置で再生中のコンテンツを前記第２の再生装置で再生を停止した位置から再生を開始させる継続再生コマンドを、前記再生制御装置から受信し、
前記制御手段が、受信した前記継続再生コマンドに基づいて、前記第１の再生装置が利用予定であることを示す情報を表示させ、受信した前記再生情報に基づいて、前記再生位置情報が示す位置から再生させるための再生コマンドを、前記HDMIケーブルのCECライン経由で前記第１の再生装置に供給して、再生させる
ステップを含む制御方法。
【請求項９】
第１の制御装置と第２の制御装置とからなる制御システムであって、
前記第１の制御装置と前記第２の制御装置を含む複数の制御装置がネットワークを介して接続されており、
前記第１の制御装置は、
前記複数の制御装置と前記ネットワークを介してコマンドを送受信する第１送受信手段と、
HDMIケーブルを介して接続されている第１の再生装置を制御する第１制御手段と
を含み、
前記第２の制御装置は、
前記複数の制御装置と前記ネットワークを介してコマンドを送受信する第２送受信手段と、
HDMIケーブルを介して接続されている第２の再生装置を制御する第２制御手段と
を含み、
前記第１の制御装置において、前記第１の再生装置で再生中のコンテンツを、前記第２の再生装置で、前記第１の再生装置で再生を停止した位置から再生を開始する指示がなされた場合、
前記第１制御手段は、前記複数の制御装置のなかから、前記第２の再生装置とHDMIケーブルを介して接続されている前記第２の制御装置を特定するための選択情報を表示させるとともに、前記HDMIケーブルのCECライン経由で、前記第１の再生装置から、前記再生中のコンテンツを識別するコンテンツ識別情報と前記コンテンツの再生位置情報を含む再生情報を取得し、
前記第１送受信手段は、前記第２の再生装置が利用予定であることを示す利用予定情報と前記再生情報とを含み、前記第１の再生装置で再生中のコンテンツを前記第１の再生装置で再生を停止した位置から再生を開始させる継続再生コマンドを、前記選択情報に基づいて選択された前記第２の制御装置に送信し、
前記第２送受信手段は、前記利用予定情報と前記再生情報とを含む前記継続再生コマンドを、前記第１の制御装置から受信し、
前記第２制御手段は、受信した前記継続再生コマンドに基づいて、前記第２の再生装置が利用予定であることを示す情報を表示させ、受信した前記再生情報に基づいて、前記再生位置情報が示す位置から再生させるための再生コマンドを、前記HDMIケーブルのCECライン経由で前記第２の再生装置に供給して、再生させる
制御システム。
【発明の詳細な説明】
【技術分野】
【０００１】
本発明は、制御装置及び制御方法、並びに、制御システムに関し、特に、例えば、制御装置が、ネットワークを介して接続された被制御装置を制御するようにした制御装置及び制御方法、並びに、制御システムに関する。
【背景技術】
【０００２】
従来、例えば、テレビジョン受像機等の制御装置が、HDMI(high-definition multimedia interface)ケーブルを介して接続されたビデオレコーダ等の被制御装置を制御するHDMI CEC(consumer electronics control)制御技術が存在する（例えば、特許文献１を参照）。
【０００３】
このHDMI CEC制御技術では、制御装置が、HDMIケーブルに含まれるCECラインを介して、被制御装置を制御するための制御コマンドを通信することにより、被制御装置の動作を制御する。なお、CECラインとは、HDMIケーブルに含まれる信号線の１つであって、被制御装置と双方向の通信を行うことが可能な信号線を表す。
【先行技術文献】
【特許文献】
【０００４】
【特許文献１】特開２００７−１０４１３８号公報
【発明の概要】
【発明が解決しようとする課題】
【０００５】
従来のHDMI CEC制御技術では、制御装置は、当然ながら、HDMIケーブルを介して接続された被制御装置との間でしか、制御コマンドを通信することができない。
【０００６】
そこで、この制御装置において、ネットワークを介して接続された被制御装置に対しても、HDMI CEC制御技術を用いて制御できるようにしたいという要望が存在する。
【０００７】
本発明は、このような状況に鑑みてなされたものであり、制御装置が、ネットワークを介して接続された被制御装置を制御することができるようにするものである。
【課題を解決するための手段】
【０００８】
本発明の第１の側面の制御装置は、
複数の他の制御装置とネットワークを介して接続される制御装置であって、
前記複数の他の制御装置と、前記ネットワークを介してコマンドを送受信する送受信手段と、
HDMIケーブルを介して接続されている第１の再生装置を制御する制御手段と
を含み、
前記制御手段は、前記第１の再生装置で再生中のコンテンツを、前記第１の再生装置と異なる第２の再生装置で、前記第１の再生装置で再生を停止した位置から再生を開始する指示がなされた場合、前記複数の他の制御装置のなかから、前記第２の再生装置とHDMIケーブルを介して接続されている前記他の制御装置である再生制御装置を特定するための選択情報を表示させるとともに、前記HDMIケーブルのCECライン経由で、前記第１の再生装置から、前記再生中のコンテンツを識別するコンテンツ識別情報と前記コンテンツの再生位置情報を含む再生情報を取得し、
前記送受信手段が、前記第２の再生装置が利用予定であることを示す利用予定情報と前記再生情報とを含み、前記第１の再生装置で再生中のコンテンツを前記第１の再生装置で再生を停止した位置から再生を開始させる継続再生コマンドを、前記選択情報に基づいて選択された前記再生制御装置に送信する。
【０００９】
前記ネットワークはLAN(local area network)であり、前記送受信手段では、前記他の制御装置から前記LANを介して送信されてくる前記コマンドを送受信することができる。
【００１０】
前記制御装置は、前記第１の再生装置から受信した音声信号に基づいて音声を出力する音声出力装置とも前記HDMIケーブルを介して接続されており、前記制御手段には、前記コンテンツを再生する際に前記音声出力装置から出力される音声の音量を表す音量情報を、前記HDMIケーブルのCECライン経由で取得させ、前記送受信手段には、前記利用予定情報、前記音量情報、及び前記再生情報を含む継続再生コマンドを、前記選択情報に基づいて選択された前記再生制御装置に送信させることができる。
【００１１】
本発明の第１の側面の制御方法は、
複数の他の制御装置とネットワークを介してコマンドを送受信する送受信手段と、HDMIケーブルを介して接続されている第１の再生装置を制御する制御手段とを含む制御装置の制御方法であって、
前記制御手段が、前記第１の再生装置で再生中のコンテンツを、前記第１の再生装置と異なる第２の再生装置で、前記第１の再生装置で再生を停止した位置から再生を開始する指示がなされた場合、前記複数の他の制御装置のなかから、前記第２の再生装置とHDMIケーブルを介して接続されている前記他の制御装置である再生制御装置を特定するための選択情報を表示させるとともに、前記HDMIケーブルのCECライン経由で、前記第１の再生装置から、前記再生中のコンテンツを識別するコンテンツ識別情報と前記コンテンツの再生位置情報を含む再生情報を取得し、
前記送受信手段が、前記第２の再生装置が利用予定であることを示す利用予定情報と前記再生情報とを含み、前記第１の再生装置で再生中のコンテンツを前記第１の再生装置で再生を停止した位置から再生を開始させる継続再生コマンドを、前記選択情報に基づいて選択された前記再生制御装置に送信する
ステップを含む。
【００１２】
本発明の第２の側面の制御装置は、
複数の他の制御装置とネットワークを介して接続される制御装置であって、
前記複数の他の制御装置と、前記ネットワークを介してコマンドを送受信する送受信手段と、
HDMIケーブルを介して接続されている第１の再生装置を制御する制御手段と
を含み、
前記複数の他の制御装置のなかの、前記第１の再生装置と異なる第２の再生装置とHDMIケーブルを介して接続されている前記他の制御装置である再生制御装置において、前記第２の再生装置で再生中のコンテンツを、前記第１の再生装置で、前記第２の再生装置で再生を停止した位置から再生を開始する指示がなされた場合、
前記送受信手段が、前記第１の再生装置が利用予定であることを示す利用予定情報と、前記第２の再生装置で再生中のコンテンツを識別するコンテンツ識別情報及び前記コンテンツの再生位置情報を含む再生情報とを含み、前記第２の再生装置で再生中のコンテンツを前記第２の再生装置で再生を停止した位置から再生を開始させる継続再生コマンドを、前記再生制御装置から受信し、
前記制御手段が、受信した前記継続再生コマンドに基づいて、前記第１の再生装置が利用予定であることを示す情報を表示させ、受信した前記再生情報に基づいて、前記再生位置情報が示す位置から再生させるための再生コマンドを、前記HDMIケーブルのCECライン経由で前記第１の再生装置に供給して、再生させる。
【００１３】
前記制御手段には、さらに、前記再生制御装置から受信した前記コンテンツ識別情報に基づいて、前記第１の再生装置で再生させるコンテンツが前記第２の再生装置で再生されていたコンテンツと一致するか否かを判定させることができる。
【００１４】
前記制御装置は、前記第１の再生装置から受信した音声信号に基づいて音声を出力する音声出力装置とも前記HDMIケーブルを介して接続されており、前記送受信手段が前記再生制御装置から受信する前記継続再生コマンドには、前記コンテンツを再生する際の音声の音量を表す音量情報も含み、前記制御手段には、前記音声出力装置から出力される音声の音量を、前記HDMIケーブルのCECライン経由で、前記音量情報が表す音量に制御させることができる。
【００１５】
本発明の第２の側面の制御方法は、
複数の他の制御装置とネットワークを介してコマンドを送受信する送受信手段と、HDMIケーブルを介して接続されている第１の再生装置を制御する制御手段とを含む制御装置の制御方法であって、
前記複数の他の制御装置のなかの、前記第１の再生装置と異なる第２の再生装置とHDMIケーブルを介して接続されている前記他の制御装置である再生制御装置において、前記第２の再生装置で再生中のコンテンツを、前記第１の再生装置で、前記第２の再生装置で再生を停止した位置から再生を開始する指示がなされた場合、
前記送受信手段が、前記第１の再生装置が利用予定であることを示す利用予定情報と、前記第２の再生装置で再生中のコンテンツを識別するコンテンツ識別情報及び前記コンテンツの再生位置情報を含む再生情報とを含み、前記第２の再生装置で再生中のコンテンツを前記第２の再生装置で再生を停止した位置から再生を開始させる継続再生コマンドを、前記再生制御装置から受信し、
前記制御手段が、受信した前記継続再生コマンドに基づいて、前記第１の再生装置が利用予定であることを示す情報を表示させ、受信した前記再生情報に基づいて、前記再生位置情報が示す位置から再生させるための再生コマンドを、前記HDMIケーブルのCECライン経由で前記第１の再生装置に供給して、再生させる
ステップを含む。
【００１６】
本発明の第３の側面の制御システムは、
第１の制御装置と第２の制御装置とからなる制御システムであって、
前記第１の制御装置と前記第２の制御装置を含む複数の制御装置がネットワークを介して接続されており、
前記第１の制御装置は、
前記複数の制御装置と前記ネットワークを介してコマンドを送受信する第１送受信手段と、
HDMIケーブルを介して接続されている第１の再生装置を制御する第１制御手段と
を含み、
前記第２の制御装置は、
前記複数の制御装置と前記ネットワークを介してコマンドを送受信する第２送受信手段と、
HDMIケーブルを介して接続されている第２の再生装置を制御する第２制御手段と
を含み、
前記第１の制御装置において、前記第１の再生装置で再生中のコンテンツを、前記第２の再生装置で、前記第１の再生装置で再生を停止した位置から再生を開始する指示がなされた場合、
前記第１制御手段は、前記複数の制御装置のなかから、前記第２の再生装置とHDMIケーブルを介して接続されている前記第２の制御装置を特定するための選択情報を表示させるとともに、前記HDMIケーブルのCECライン経由で、前記第１の再生装置から、前記再生中のコンテンツを識別するコンテンツ識別情報と前記コンテンツの再生位置情報を含む再生情報を取得し、
前記第１送受信手段は、前記第２の再生装置が利用予定であることを示す利用予定情報と前記再生情報とを含み、前記第１の再生装置で再生中のコンテンツを前記第１の再生装置で再生を停止した位置から再生を開始させる継続再生コマンドを、前記選択情報に基づいて選択された前記第２の制御装置に送信し、
前記第２送受信手段は、前記利用予定情報と前記再生情報とを含む前記継続再生コマンドを、前記第１の制御装置から受信し、
前記第２制御手段は、受信した前記継続再生コマンドに基づいて、前記第２の再生装置が利用予定であることを示す情報を表示させ、受信した前記再生情報に基づいて、前記再生位置情報が示す位置から再生させるための再生コマンドを、前記HDMIケーブルのCECライン経由で前記第２の再生装置に供給して、再生させる。
【００１７】
本発明の第１及び第３の側面によれば、第１の再生装置で再生中のコンテンツを、第１の再生装置と異なる第２の再生装置で、第１の再生装置で再生を停止した位置から再生を開始する指示がなされた場合、複数の他の制御装置のなかから、第２の再生装置とHDMIケーブルを介して接続されている他の制御装置である再生制御装置を特定するための選択情報が表示されるとともに、HDMIケーブルのCECライン経由で、第１の再生装置から、再生中のコンテンツを識別するコンテンツ識別情報とコンテンツの再生位置情報を含む再生情報が取得され、第２の再生装置が利用予定であることを示す利用予定情報と再生情報とを含み、第１の再生装置で再生中のコンテンツを第１の再生装置で再生を停止した位置から再生を開始させる継続再生コマンドが、選択情報に基づいて選択された再生制御装置に送信される。さらに本発明の第３の側面によれば、受信した継続再生コマンドに基づいて、第２の再生装置が利用予定であることを示す情報が表示され、受信した再生情報に基づいて、再生位置情報が示す位置から再生させるための再生コマンドが、HDMIケーブルのCECライン経由で第２の再生装置に供給されて、再生される。
本発明の第２の側面によれば、複数の他の制御装置のなかの、第１の再生装置と異なる第２の再生装置とHDMIケーブルを介して接続されている他の制御装置である再生制御装置において、第２の再生装置で再生中のコンテンツを、第１の再生装置で、第２の再生装置で再生を停止した位置から再生を開始する指示がなされた場合、第１の再生装置が利用予定であることを示す利用予定情報と、第２の再生装置で再生中のコンテンツを識別するコンテンツ識別情報及びコンテンツの再生位置情報を含む再生情報とを含み、第２の再生装置で再生中のコンテンツを第２の再生装置で再生を停止した位置から再生を開始させる継続再生コマンドが再生制御装置から受信され、受信した継続再生コマンドに基づいて、第１の再生装置が利用予定であることを示す情報が表示され、受信した再生情報に基づいて、再生位置情報が示す位置から再生させるための再生コマンドが、HDMIケーブルのCECライン経由で第１の再生装置に供給されて、再生される。
【発明の効果】
【００１８】
本発明によれば、ネットワークを介して接続された被制御装置を制御することができる。
【図面の簡単な説明】
【００１９】
【図１】本発明を適用した制御システムの構成例を示すブロック図である。
【図２】制御装置の構成例を示すブロック図である。
【図３】制御装置の間で行なわれる通信の一例を示す第１の図である。
【図４】制御装置が、他の制御装置に対して録画の要求を行う録画要求処理を説明するためのフローチャートである。
【図５】他の制御装置が、制御装置からの要求に応じて録画の開始を制御する録画処理を説明するためのフローチャートである。
【図６】制御装置の間で行なわれる通信の一例を示す第２の図である。
【図７】コンテンツの視聴を継続する部屋を選択するための表示画面の表示例を示す図である。
【図８】制御装置が、他の制御装置に対して再生の要求を行う再生要求処理を説明するためのフローチャートである。
【図９】他の制御装置が、制御装置からの要求に応じて再生を制御する再生処理を説明するためのフローチャートである。
【図１０】制御装置の間で行なわれる通信の一例を示す第３の図である。
【図１１】制御装置の間で行なわれる通信の一例を示す第４の図である。
【図１２】コンピュータの構成例を示すブロック図である。
【発明を実施するための形態】
【００２０】
以下、発明を実施するための形態（以下、本実施の形態という）について説明する。なお、説明は以下の順序で行う。
１．本実施の形態（制御装置が、他の制御装置に接続された被制御装置を制御する場合の一例）
２．変形例
【００２１】
＜１．  本実施の形態＞
[制御システム１の構成例]
図１は、本発明を適用した制御システム１の構成例を示している。
【００２２】
この制御システム１は、ルータ２２を介して接続された、例えばテレビジョン受像機等の制御装置２１1乃至２１N、ルータ２２、及び制御装置２１1乃至２１Nに、適宜、HDMIケーブルを介して接続された被制御装置により構成される。
【００２３】
また、この制御システム１は、例えば住居内に構築される。具体的には、例えば、制御装置２１1乃至２１Nは、それぞれ、住居内に存在する複数の部屋に設置される。また、制御装置２１1乃至２１Nは、住居内に設置されたルータ２２に100BASE-Tケーブル等で接続、又は無線により接続され、イーサネット(Ethernet)(商標)等のLAN(local area network)２３を形成する。
【００２４】
ここで、イーサネットとは、IEEE(institute of electrical and electronics engineers)802.3において標準化されたLANを指すものとする。
【００２５】
以下の説明において、制御装置２１1乃至２１Nを、それぞれ区別する必要がない場合、制御装置２１1乃至２１Nを単に制御装置２１という。
【００２６】
制御装置２１は、BD(Blu-ray disc)プレーヤ(BDP)、AV(audio visual)レシーバ（図示せず）、PS3（PLAYSTATION３）（商標）、及びデジタルビデオカメラ（図示せず）等の被制御装置を、HDMIケーブルを介して接続するためのHDMI端子を有しており、必要に応じて、被制御装置が接続される。
【００２７】
また、制御装置２１は、被制御装置が接続されている場合、被制御装置を制御するために行われるユーザ操作に応じて、HDMIケーブルを介して接続されている被制御装置を制御する。
【００２８】
さらに、制御装置２１は、LAN２３のルータ２２を介して、他の制御装置２１との間で、相互にデータを通信する。
【００２９】
すなわち、例えば、制御装置２１xは、他の制御装置２１yに接続されている被制御装置を制御するために行われるユーザ操作に応じて、他の制御装置２１yに接続されている被制御装置を制御するためのコマンドを、ルータ２２を介して、他の制御装置２１yに送信する。なお、ｘとｙは、１からNまでの相互に異なる値である。
【００３０】
この場合、制御装置２１yは、他の制御装置２１xからルータ２２を介して送信されてくるコマンドを受信し、受信したコマンドに基づいて、制御装置２１yに接続されている被制御装置を制御する。
【００３１】
ルータ２２は、制御装置２１それぞれと相互に接続されており、制御装置２１どうしのコマンドのやりとりを仲介する。
【００３２】
なお、制御装置２１としては、ルータ２２と接続することが可能なものであればよく、例えば、パーソナルコンピュータやテレビジョン受像機等を採用することができる。
【００３３】
したがって、以下の説明では、制御装置２１は、ルータ２２に接続可能なテレビジョン受像機であるものとする。なお、制御装置２１は、それぞれ同様に構成されているため、制御装置２１xの構成のみを説明し、他の制御装置２１の構成について説明を省略する。
【００３４】
[制御装置２１xの構成例]
図２は、制御装置２１xとしてのテレビジョン受像機の構成例を示している。
【００３５】
この制御装置２１xは、チューナ６１、出力制御部６２、表示部６３、音声出力部６４、ネットワーク通信部６５、制御部６６、及び受光部６７により構成されている。また、制御装置２１xは、専用のリモートコントローラ４１xからの操作信号に応じた動作を行う。
【００３６】
チューナ６１は、図示せぬアンテナから供給される放送信号を受信し、受信した放送信号のうちの所定のチャンネル（周波数帯域）の放送信号から、画像信号及び音声信号を復調し、出力制御部６２に供給する。
【００３７】
出力制御部６２は、チューナ６１からの画像信号を表示部６３に供給して、対応する画像を表示させる。また、出力制御部６２は、チューナ６１からの音声信号を音声出力部６４に供給して、対応する音声を出力させる。
【００３８】
表示部６３は、例えば、LCD(liquid crystal display)等により構成されており、出力制御部６２からの画像信号に対応する画像を表示する。
【００３９】
音声出力部６４は、例えばスピーカ等により構成されており、出力制御部６２からの音声データに対応する音声を出力する。
【００４０】
ネットワーク通信部６５は、後述する制御部６６から供給されるコマンドとして、他の制御装置２１yに接続されている被制御装置を制御するためのコマンドを、ルータ２２を介して、他の制御装置２１yに送信する。
【００４１】
また、ネットワーク通信部６５は、他の制御装置２１yからルータ２２を介して送信されてくるコマンドとして、例えば、制御装置２１xに接続されている被制御装置を制御するためのコマンドを受信する。そして、ネットワーク通信部６５は、受信したコマンドを、制御部６６に供給する。
【００４２】
制御部６６は、ネットワーク通信部６５からのコマンドに応じて、HDMIケーブルを介して接続されている被制御装置を、HDMIケーブルに含まれるCECライン経由で制御する。なお、CECラインとは、HDMIケーブルに含まれる信号線の１つであって、被制御装置と双方向の通信を行うことが可能な信号線を表す。
【００４３】
また、制御部６６は、例えば、受光部６７からの操作信号に基づいて、チューナ６１、出力制御部６２、及びネットワーク通信部６５の他、被制御装置を制御する。
【００４４】
さらに、制御部６６は、受光部６７からの操作信号に基づいて、他の制御装置２１yに接続されている被制御装置を制御するためのコマンドを生成する。そして、制御部６６は、生成したコマンドを、ネットワーク通信部６５に供給する。
【００４５】
受光部６７は、リモートコントローラ４１xからの操作信号を受光（受信）し、制御部６６に供給する。
【００４６】
制御システム１によれば、複数の制御装置２１がルータ２２により相互に接続されているので、例えば、制御装置２１xが、ルータ２２を介して、他の制御装置２１yを制御することができる。
【００４７】
次に、図３乃至図５を参照して、例えば、制御装置２１xが、他の制御装置２１yを制御して、他の制御装置２１yに接続されている記録再生装置１０１に、所定のコンテンツの記録を実行させる場合の一例について説明する。
【００４８】
[制御装置２１xが他の制御装置２１yを制御する場合の一例]
図３は、制御システム１を構成する複数の制御装置２１1乃至２１Nのうち、制御装置２１xと制御装置２１yとの間で行なわれる通信の一例を示している。
【００４９】
なお、図３において、制御装置２１xは住居内の部屋８１に設置されている。
【００５０】
また、図３において、制御装置２１yは、HDMIケーブルを介して接続された被制御装置として、記録再生装置１０１が接続された状態で、住居内の部屋８２に設置されている。
【００５１】
記録再生装置１０１は、例えば、ハードディスクを内蔵しており、内蔵したハードディスクにコンテンツを記録したり、ハードディスクからコンテンツを再生するものであり、一般的に、PVR(personal video recorder)やDVR(digital video recorder)と呼ばれているものに相当する。
【００５２】
例えば、制御システム１のユーザが、制御装置２１xにおいて視聴中のコンテンツを、制御装置２１yに接続された記録再生装置１０１で録画するように、リモートコントローラ４１xを操作したことに対応して、制御装置２１xは、リモートコントローラ４１xから供給される操作信号を受信する。
【００５３】
そして、制御装置２１xは、リモートコントローラ４１xから受信した操作信号に基づいて、制御装置２１yに接続されている記録再生装置１０１に、制御装置２１xが表示中のコンテンツの録画を要求する<Record request>コマンドを生成する。また、制御装置２１xは、生成した<Record request>コマンドを、ルータ２２を介して、制御装置２１yに送信する。
【００５４】
さらに、制御装置２１xは、<Record request>コマンドを送信したことに対応して、制御装置２１yからルータ２２を介して送信されてくるコマンドとして、録画の状態を表す録画状態情報が付加された<Record Status>コマンドを受信する。
【００５５】
制御装置２１xは、受信した<Record Status>コマンドに付加された録画状態情報に基づいて、録画の状態を表す情報を、表示画面（図２の表示部６３）に表示する。
【００５６】
制御装置２１yは、制御装置２１xからルータ２２を介して送信されてくる<Record request>コマンドを受信する。そして、制御装置２１yは、受信した<Record request>コマンドに基づいて、制御装置２１xが表示中のコンテンツを録画させるための<Record On>コマンドを生成する。
【００５７】
制御装置２１yは、生成した<Record On>コマンドを、HDMIケーブルのCECライン経由で、記録再生装置１０１に通知する。
【００５８】
この場合、記録再生装置１０１は、制御装置２１yからCECライン経由で通知される<Record On>コマンドに基づいて、制御装置２１xが表示中のコンテンツの録画を開始する。また、記録再生装置１０１は、<Record On>コマンドに基づく録画の状態（例えば正常に録画が行われているか否か等）を表す録画状態情報が付加された<Record Status>コマンドを生成し、CECライン経由で制御装置２１yに通知する。
【００５９】
制御装置２１yは、記録再生装置１０１から、HDMIケーブルのCECライン経由で通知される<Record Status>コマンドを受信し、ルータ２２を介して制御装置２１xに送信する。
【００６０】
[図３の制御装置２１xの動作説明]
次に、図４のフローチャートを参照して、図３の制御装置２１xが行う録画要求処理について説明する。
【００６１】
この録画要求処理は、例えば、ユーザが、制御装置２１xにおいて視聴中のコンテンツを、他の制御装置２１yに接続された記録再生装置１０１で録画するように、リモートコントローラ４１xを操作したときに開始される。
【００６２】
このとき、制御装置２１xの受光部６７は、リモートコントローラ４１xからの操作信号を受光し、制御部６６に供給する。
【００６３】
ステップＳ１において、制御部６６は、受光部６７からの操作信号に基づいて、録画が指示されたコンテンツ（制御装置２１xに表示中のコンテンツ）を特定するためのチャンネル番号や放送局等を表す録画情報を、チューナ６１から出力制御部６２を介して取得する。
【００６４】
ステップＳ２において、制御部６６は、取得した録画情報が付加された<Record request>コマンドを生成する。また、制御部６６は、生成した<Record request>コマンドを含むIP(internet protocol)パケットを、XML(extensible markup language)等のプログラミング言語により構築し、ネットワーク通信部６５に供給する。
【００６５】
ネットワーク通信部６５は、制御部６６からのIPパケットを、ルータ２２を介して制御装置２１yに送信する。
【００６６】
この場合、制御装置２１yは、ルータ２２からのIPパケットを受信したことに対応して、記録再生装置１０１を制御して、コンテンツの録画を実行させる録画処理を行う。
【００６７】
すなわち、例えば、制御装置２１yは、ルータ２２からのIPパケットを受信し、受信したIPパケットに含まれる<Record request>コマンドに基づいて、記録再生装置１０１を制御して、コンテンツの録画を実行させる。そして、制御装置２１yは、記録再生装置１０１による録画の状態を表す録画状態情報が付加された<Record Status>コマンドを含むIPパケットを構築し、ルータ２２を介して、制御装置２１xに送信する。
【００６８】
なお、制御装置２１yが行う録画処理の詳細は、図５のフローチャートを参照して後述する。
【００６９】
ステップＳ３において、ネットワーク通信部６５は、制御装置２１yからルータ２２を介して送信されてきたIPパケット（<Record Status>コマンドを含む）を受信し、制御部６６に供給する。
【００７０】
ステップＳ４において、制御部６６は、ネットワーク通信部６５からのIPパケットに含まれる<Record Status>コマンドに基づいて、<Record Status>コマンドに付加された録画状態情報を、出力制御部６２に供給して、表示部６３に、録画状態情報が表す録画の状態を表示させる。以上で、録画要求処理は終了される。
【００７１】
[図３の制御装置２１yの動作説明]
次に、図５のフローチャートを参照して、図３の制御装置２１yが行う録画処理について説明する。
【００７２】
この録画処理は、例えば、図３の制御装置２１xにより録画要求処理が行なわれたことに対応して、制御装置２１xから、<Record request>コマンドを含むIPパケットが送信されてきたときに開始される。
【００７３】
ステップＳ２１において、制御装置２１yのネットワーク通信部６５は、制御装置２１xからルータ２２を介して送信されてくるIPパケット（<Record request>コマンドを含む）を受信し、制御部６６に供給する。
【００７４】
ステップＳ２２において、制御部６６は、ネットワーク通信部６５からのIPパケットに含まれる<Record request>コマンドに基づいて、<Record request>コマンドに付加されている録画情報を、パラメータとして付加した<Record On>コマンドを生成する。
【００７５】
そして、ステップＳ２３において、制御部６６は、生成した<Record On>コマンドを、HDMIケーブルのCECライン経由で記録再生装置１０１に通知して録画を実行させる。この場合、記録再生装置１０１は、制御部６６からの<Record On>コマンドに基づいて、<Record On>コマンドに付加されている録画情報により特定されるコンテンツの録画を開始する。
【００７６】
そして、記録再生装置１０１は、録画を開始した後、適宜、その録画の状態を表す録画状態情報がパラメータとして付加された<Record Status>コマンドを生成し、制御部６６に通知する。
【００７７】
ステップＳ２４において、制御部６６は、記録再生装置１０１からの<Record Status>コマンドを含むIPパケットを構築し、ネットワーク通信部６５に供給する。ネットワーク通信部６５は、制御部６６からのIPパケットを、ルータ２２を介して、制御装置２１yに送信する。以上で、録画処理は終了される。
【００７８】
以上説明したように、録画要求処理によれば、制御装置２１xが、<Record request>コマンドを、ルータ２２を介して制御装置２１yに送信するようにした。
【００７９】
そして、録画処理では、制御装置２１yが、制御装置２１xからルータ２２を介して送信されてくる<Record request>コマンドに基づいて、記録再生装置１０１の録画を開始させるようにした。
【００８０】
このため、制御装置２１xでは、制御装置２１xにHDMIケーブルを介して接続される被制御装置の他、ルータ２２、他の制御装置２１y、及びHDMIケーブルを介して接続される被制御装置（記録再生装置１０１）についても制御することが可能となる。
【００８１】
なお、図３において、制御装置２１yは、CECライン経由でコマンドを送受信する従来のHDMI CEC制御により、記録再生装置１０１との間でコマンドをやりとりするようにしている。
【００８２】
したがって、図３において、従来の記録再生装置１０１に全く変更を加えずに、制御装置２１xが、制御装置２１yに接続されている記録再生装置１０１を制御することが可能となる。
【００８３】
[制御装置２１xが他の制御装置２１yを制御する場合の他の一例]
次に、図６乃至図９を参照して、例えば、部屋８１において、コンテンツが記録されたディスク（例えば、ブルーレイディスク）を再生している場合に、その再生を中断してディスクを持ち出し、そのディスクを、部屋８２において再生する場合に、部屋８１においてディスクを再生して視聴していたコンテンツの続きを、部屋８２において視聴できるように、制御装置２１xと、制御装置２１yとの間で行われる通信の一例について説明する。
【００８４】
図６は、制御システム１を構成する複数の制御装置２１1乃至２１Nのうち、制御装置２１xと制御装置２１yとの間で行なわれる通信の他の一例を示している。
【００８５】
なお、図６において、制御装置２１x、AVレシーバ（AVR）１２１x及びBDプレーヤ(BDP)１２２xは、HDMIケーブルを介して相互に接続されている。また、制御装置２１y、AVレシーバ１２１y及びBDプレーヤ１２２yは、HDMIケーブルを介して相互に接続されている。それ以外については、図３の場合と同様に構成されている。
【００８６】
制御装置２１xは、BDプレーヤ１２２xから供給されるコンテンツの画像信号に対応する画像を表示する。また、制御装置２１xは、部屋８１で視聴しているコンテンツを、他の部屋において継続して視聴するために行われるユーザ操作に応じて、図７に示されるように、コンテンツの視聴を継続する部屋を選択するための表示画面を表示させる。
【００８７】
そして、ユーザが、リモートコントローラ４１xを用いて、図７に示されるような表示画面から、住居内の部屋８２乃至部屋８５のうち、例えば部屋８２を選択する選択操作を行った場合、リモートコントローラ４１xは、ユーザの選択操作に応じた操作信号を、制御装置２１xに送信する。
【００８８】
制御装置２１xは、リモートコントローラ４１xからの操作信号に応じて、AVレシーバ１２１xから出力される音声の音量を表す音量情報等を要求する<Get Audio Status>コマンドを生成し、CECライン経由でAVレシーバ１２１xに通知する。
【００８９】
これにより、制御装置２１xは、<Get Audio Status>コマンドを通知したことに対応して、AVレシーバ１２１xから、音量情報等がパラメータとして付加された<Report Audio Status>コマンドを受信する。
【００９０】
また、制御装置２１xは、リモートコントローラ４１xからの操作信号に応じて、BDプレーヤ１２２xから、再生中のコンテンツのタイトル名や、再生中のコンテンツの再生位置を表すチャプタ番号等を含む再生情報を要求するための再生情報要求コマンドを生成し、CECライン経由でBDプレーヤ１２２xに通知する。
【００９１】
これにより、制御装置２１xは、再生情報要求コマンドを通知したことに対応して、BDプレーヤ１２２xから、再生情報が付加された再生情報返答コマンドを受信する。
【００９２】
なお、制御装置２１xとBDプレーヤ１２２xとの間で、CECライン経由で行なわれるコマンドのやりとりは、現行のHDMIの仕様書には規定されていないが、制御装置２１xとBDプレーヤ１２２xとを接続するHDMIケーブルは、そのHDMIケーブルのCECラインにおいて、制御装置２１xとBDプレーヤ１２２xとの間でコマンドの送受信を行なうHDMI CEC制御が行えるようになっているものを採用している。
【００９３】
このことは、後述する制御装置２１yとBDプレーヤ１２２yとを接続するHDMIケーブルについても同様である。
【００９４】
制御装置２１xは、AVレシーバ１２１xから受信した<Report Audio Status>コマンドに付加されている音量情報、及びBDプレーヤ１２２xから受信した再生情報返答コマンドに付加されている再生情報を抽出する。
【００９５】
また、制御装置２１xは、抽出した音量情報及び再生情報がパラメータとして付加された継続視聴コマンドを生成する。そして、制御装置２１xは、生成した継続視聴コマンドを含むIPパケットをXML等により生成し、ルータ２２を介して、制御装置２１yに送信する。
【００９６】
AVレシーバ１２１xは、BDプレーヤ１２２xからの音声信号を受信し、受信した音声信号に対応する音声を出力する。
【００９７】
また、AVレシーバ１２１xは、制御装置２１xからCECライン経由で通知される<Get Audio Status>コマンドに基づいて、AVレシーバ１２１xから出力される音声の音量を表す音量情報がパラメータとして付加された<Report Audio Status>コマンドを生成し、CECライン経由で制御装置２１xに通知する。
【００９８】
BDプレーヤ１２２xは、ユーザにより挿入されたディスクに記録されているコンテンツに対応する画像信号を読み出し、HDMIケーブルのTMDS(transition minimized differential signaling)ラインを介して制御装置２１xに供給する。なお、TMDSラインとは、HDMIケーブルに含まれる信号線の１つであって、画像音声信号（画像信号や音声信号）等の伝送に用いる信号線を表す。
【００９９】
また、BDプレーヤ１２２xは、ユーザにより挿入されたディスクに記録されているコンテンツに対応する音声信号を読み出し、HDMIケーブルのTMDSラインを介してAVレシーバ１２１xに供給する。
【０１００】
さらに、BDプレーヤ１２２xは、制御装置２１xからCECライン経由で通知される再生情報要求コマンドに基づいて、BDプレーヤ１２２xにおいて再生中のコンテンツのタイトル名やチャプタ番号等を含む再生情報が付加された再生情報返答コマンドを生成し、CECライン経由で制御装置２１xに通知する。
【０１０１】
制御装置２１yは、制御装置２１xからルータ２２を介して送信されてくるIPパケットを受信し、受信したIPパケットに、継続視聴コマンドが含まれる場合には、例えば「間もなく使用予定」等のメッセージを表示画面に表示させる。
【０１０２】
そして、制御装置２１yは、受信したIPパケットに含まれる継続視聴コマンドから、継続視聴コマンドに付加されている音量情報及び再生情報を抽出する。
【０１０３】
制御装置２１yは、抽出した音量情報に基づいて、AVレシーバ１２１yから出力される音声の音量を、抽出した音量情報が表す音量に設定するための音量設定コマンドを生成する。そして、制御装置２１yは、生成した音量設定コマンドに、パラメータとして音量情報を付加して、CECライン経由でAVレシーバ１２１yに通知する。
【０１０４】
なお、音量設定コマンドは、現行のHDMIの仕様書において定義されていないが、本実施の形態では、音量設定コマンドをCECライン経由でAVレシーバ１２１yに通知することが可能なHDMIケーブルが採用されているものとする。
【０１０５】
また、制御装置２１yは、抽出した再生情報に基づいて、BDプレーヤ１２２yが、ユーザにより挿入されるディスクを、再生情報に含まれるチャプタ番号から再生させるための再生コマンドを生成する。そして、制御装置２１yは、生成した再生コマンドに、パラメータとして再生情報を付加して、CECライン経由でBDプレーヤ１２２yに通知する。
【０１０６】
AVレシーバ１２１yは、制御装置２１yからの音量設定コマンドに基づいて、出力する音声の音量を、音量設定コマンドに付加された音量情報が表す音量に設定する。また、AVレシーバ１２１yは、BDプレーヤ１２２yからの音声信号に対応する音声を、設定された音量で出力する。
【０１０７】
BDプレーヤ１２２yは、制御装置２１yからの再生コマンドに基づいて、ユーザにより挿入されたディスクのタイトル名と、再生コマンドに付加されている再生情報が含むタイトル名とが一致するか否かを判定する。
【０１０８】
BDプレーヤ１２２yは、制御装置２１yからの再生コマンドに基づいて、ユーザにより挿入されたディスクのタイトル名と、再生コマンドに付加されている再生情報が含むタイトル名とが一致しないと判定した場合、ユーザにより挿入されたディスクを再生せずに、その判定結果を、制御装置２１yに供給する。
【０１０９】
この場合、制御装置２１yは、BDプレーヤ１２２yに挿入すべきディスクが異なる旨を表示させ、BDプレーヤ１２２xにおいて再生していたディスクの挿入を促す表示を、表示画面に表示させる。
【０１１０】
また、BDプレーヤ１２２yは、制御装置２１yからの再生コマンドに基づいて、ユーザにより挿入されたディスクのタイトル名と、再生コマンドに付加されている再生情報が含むタイトル名とが一致すると判定した場合、ユーザにより挿入されたディスクを、再生コマンドに付加されている再生情報が含むチャプタ番号から再生する。
【０１１１】
そして、BDプレーヤ１２２yは、再生により得られるコンテンツの画像信号を、TMDSライン経由で制御装置２１yに供給し、再生により得られるコンテンツの音声信号を、TMDSライン経由でAVレシーバ１２１yに供給する。
【０１１２】
[図６の制御装置２１xの動作説明]
次に、図８のフローチャートを参照して、図６の制御装置２１xが行う再生要求処理について説明する。
【０１１３】
この再生要求処理は、例えば、ユーザが、図７に示されるような表示画面を表示させるように、リモートコントローラ４１xを操作したときに開始される。このとき、リモートコントローラ４１xは、ユーザ操作に応じた操作信号を、制御装置２１xに送信する。
【０１１４】
ステップＳ４１において、図６の制御装置２１xにおける受光部６７は、リモートコントローラ４１xからの操作信号を受光し、制御部６６に供給する。制御部６６は、受光部６７からの操作信号に基づいて、出力制御部６２を制御して、表示部６３に、図７に示されるような表示画面を表示させる。
【０１１５】
そして、ユーザが、リモートコントローラ４１xを用いて、図７に示されるような表示画面から、部屋８２乃至部屋８５のうち、例えば部屋８２を選択する選択操作を行ったことに対応して、リモートコントローラ４１xは、ユーザの選択操作に応じた操作信号を、制御装置２１xの受光部６７に送信する。
【０１１６】
受光部６７は、リモートコントローラ４１xからの操作信号を、制御部６６に供給する。この場合、制御部６６は、受光部６７から操作信号が供給されたことに対応して、出力制御部６２を制御して、表示部６３に、BDプレーヤ１２２xからディスクを取り出し、部屋８２のBDプレーヤ１２２yに挿入することを促す表示画面を表示させる。
【０１１７】
ステップＳ４２において、制御部６６は、受光部６７からの操作信号に応じて、AVレシーバ１２１xから出力される音声の音量を表す音量情報等を要求する<Get Audio Status>コマンドを生成し、CECライン経由でAVレシーバ１２１xに通知する。
【０１１８】
これにより、制御部６６は、<Get Audio Status>コマンドを通知したことに対応して、AVレシーバ１２１xから、音量情報等が付加された<Report Audio Status>コマンドを受信する。
【０１１９】
ステップＳ４３において、制御部６６は、受光部６７からの操作信号に応じて、BDプレーヤ１２２xから、再生中のコンテンツのタイトル名や、再生中のコンテンツの再生位置を表すチャプタ番号等を含む再生情報を要求するための再生情報要求コマンドを生成し、CECライン経由でBDプレーヤ１２２xに通知する。
【０１２０】
これにより、制御部６６は、再生情報要求コマンドを通知したことに対応して、BDプレーヤ１２２xから、再生情報が付加された再生情報返答コマンドを受信する。
【０１２１】
ステップＳ４４において、制御部６６は、AVレシーバ１２１xから受信した<Report Audio Status>コマンドに付加されている音量情報、及びBDプレーヤ１２２xから受信した再生情報返答コマンドに付加されている再生情報を抽出する。
【０１２２】
また、制御部６６は、抽出した音量情報及び再生情報がパラメータとして付加された継続視聴コマンドを生成する。そして、制御部６６は、生成した継続視聴コマンドを含むIPパケットをXML等により生成し、ネットワーク通信部６５に供給する。
【０１２３】
ネットワーク通信部６５は、制御部６６の制御にしたがって、制御部６６からのIPパケットを、ルータ２２を介して、図６の制御装置２１yに送信する。以上で、再生要求処理は終了される。以上の再生要求処理が完了後、制御装置２１xは、HDMIケーブルで接続されるAVレシーバ１２１x及びBDプレーヤ１２２xに対して、低消費電力状態への移行をCECライン経由で通知してもよい。
【０１２４】
[図６の制御装置２１yの動作説明]
次に、図９のフローチャートを参照して、図６の制御装置２１yが行う再生処理について説明する。
【０１２５】
この再生処理は、例えば、図６の制御装置２１xからルータ２２を介して、継続視聴コマンドを含むIPパケットが送信されてきたときに開始される。
【０１２６】
ステップＳ６１において、図６の制御装置２１yにおけるネットワーク通信部６５は、図６の制御装置２１xからルータ２２を介して送信されてくるIPパケットを受信し、制御部６６に供給する。
【０１２７】
そして、制御部６６は、ネットワーク通信部６５からのIPパケットに、継続視聴コマンドが含まれる場合、出力制御部６２を制御して、例えば「間もなく使用予定」等のメッセージを表示部６３に表示させる。これにより、図６の制御装置２１yが、他のユーザによって使用されることを防止することができる。
【０１２８】
なお、制御装置２１yが、例えば、チューナ６１乃至音声出力部６４等に供給される電力が制限（遮断）されたスリープ状態である場合、制御部６６は、スリープ状態を解除して、チューナ６１乃至音声出力部６４等に、十分な電力を供給させ、出力制御部６２を制御して、例えば「間もなく使用予定」等のメッセージを表示部６３に表示させる。
【０１２９】
また、制御部６６は、受信したIPパケットに含まれる継続視聴コマンドから、継続視聴コマンドに付加されている音量情報及び再生情報を抽出する。
【０１３０】
ステップＳ６２において、制御部６６は、抽出した音量情報に基づいて、AVレシーバ１２１yから出力される音声の音量を、抽出した音量情報が表す音量に設定するための音量設定コマンドを生成する。
【０１３１】
そして、制御部６６は、生成した音量設定コマンドに、パラメータとして音量情報を付加して、CECライン経由でAVレシーバ１２１yに通知することにより、AVレシーバ１２１yを制御して、出力する音声の音量を、音量設定コマンドに付加されている音量情報が表す音量に設定させる。
【０１３２】
ステップＳ６３において、制御部６６は、抽出した再生情報に基づいて、BDプレーヤ１２２yが、ユーザにより挿入されるディスクを、再生情報に含まれるチャプタ番号から再生させるための再生コマンドを生成する。
【０１３３】
そして、制御部６６は、生成した再生コマンドに、再生情報を付加して、CECライン経由でBDプレーヤ１２２yに通知することにより、BDプレーヤ１２２yを制御して、BDプレーヤ１２２yに挿入されるディスクのタイトル名と、再生コマンドが含む再生情報に含まれるタイトル名とが一致するか否かを判定させる。
【０１３４】
制御部６６は、BDプレーヤ１２２yにより、制御部６６からの再生コマンドに付加されている再生情報が含むタイトル名と、挿入されたディスクに記録されているコンテンツのタイトル名とが一致しないと判定された場合、例えば以下の処理を行う。
【０１３５】
すなわち、例えば、制御部６６は、出力制御部６２を制御して、表示部６３に、BDプレーヤ１２２yに挿入すべきディスクが異なる旨を表示させ、さらに、BDプレーヤ１２２xにおいて再生していたディスクの挿入を促す表示を表示させる。そして、制御部６６は、処理をステップＳ６３に戻し、それ以降同様の処理を行う。
【０１３６】
また、制御部６６は、BDプレーヤ１２２yにより、制御部６６からの再生コマンドに付加されている再生情報が含むタイトル名と、挿入されたディスクに記録されているコンテンツのタイトル名とが一致すると判定された場合、処理をステップＳ６４に進める。
【０１３７】
ステップＳ６４において、制御部６６は、BDプレーヤ１２２yを制御して、BDプレーヤ１２２yに挿入されたディスクを、制御部６６からの再生コマンドに付加された再生情報が含むチャプタ番号から再生させる。
【０１３８】
この場合、BDプレーヤ１２２yは、挿入されたディスクに記録されているコンテンツを、再生情報が含むチャプタ番号から読み出す。そして、BDプレーヤ１２２yは、ディスクから読み出したコンテンツの画像信号を、TMDSライン経由で制御部６６に供給する。
【０１３９】
制御部６６は、BDプレーヤ１２２yからの画像信号を、出力制御部６２に供給する。また、出力制御部６２は、制御部６６からの画像信号を表示部６３に供給して、画像信号に対応する画像を表示させる。
【０１４０】
さらに、BDプレーヤ１２２yは、ディスクから読み出したコンテンツの音声信号を、TMDSライン経由でAVレシーバ１２１yに供給する。そして、AVレシーバ１２１yは、BDプレーヤ１２２yからの音声信号に対応する音声を、ステップＳ６２の処理で設定された音量で出力する。
【０１４１】
以上説明したように、再生要求処理では、図６の制御装置２１xが、AVレシーバ１２１xから音量情報を取得するとともに、BDプレーヤ１２２xから再生情報を取得し、取得した音量情報及び再生情報がパラメータとして付加された継続視聴コマンドを、図６の制御装置２１yに送信するようにした。
【０１４２】
そして、再生処理では、図６の制御装置２１yは、図６の制御装置２１xからルータ２２を介して供給された継続視聴コマンドに基づいて、AVレシーバ１２１yの音量を、AVレシーバ１２１xの音量に設定するとともに、BDプレーヤ１２２yにより、BDプレーヤ１２２xにおいて再生されていたコンテンツを継続して再生するようにした。
【０１４３】
したがって、ユーザは、部屋８２において、部屋８１の視聴環境と同一の視聴環境で、部屋８１で視聴していたコンテンツを継続して視聴することが可能となる。
【０１４４】
また、再生処理では、ステップＳ６３において、制御部６６は、BDプレーヤ１２２yを制御して、BDプレーヤ１２２yに挿入されるディスクのタイトル名と、再生コマンドに付加されている再生情報が含むタイトル名とが一致するか否かを判定させるようにした。
【０１４５】
したがって、BDプレーヤ１２２yに、図６のBDプレーヤ１２２xから取り出されたディスクと異なる内容のコンテンツが記録されたディスクが挿入されて再生されることを防止することができる。
【０１４６】
さらに、再生処理では、ステップＳ６３の処理を省略するように構成してもよい。この場合、再生処理を、より迅速に行うことが可能となる。
【０１４７】
なお、図６において、制御装置２１xは、それぞれ、CECライン経由でコマンドを送受信する従来のHDMI CEC制御により、HDMIケーブルを介して接続されている被制御装置との間でコマンドをやりとりするようにしている。
【０１４８】
したがって、図６において、従来のAVレシーバ１２１x及びBDプレーヤ１２２xに若干の新たなコマンドへの対応を追加するだけで、制御装置２１xが、制御装置２１xに接続されているAVレシーバ１２１x及びBDプレーヤ１２２xを制御することが可能となる。このことは、図６の制御装置２１y、AVレシーバ１２１y及びBDプレーヤ１２２yについても同様のことがいえる。
【０１４９】
また、図６の制御装置２１xが、AVレシーバ１２１xから取得した音量情報、及びBDプレーヤ１２２xから取得した再生情報を、継続視聴コマンドに付加されたパラメータとして、ルータ２２を介して制御装置２１yに送信するようにしている。
【０１５０】
このため、AVレシーバ１２１xが、直接に、ルータ２２を介して制御装置２１yに音量情報を送信するとともに、BDプレーヤ１２２xが、ルータ２２を介して制御装置２１yに再生情報を送信する必要がない。
【０１５１】
したがって、AVレシーバ１２１x及びBDプレーヤ１２２xは、ルータ２２を介して制御装置２１yと通信を行う機能を有する必要がない。このことは、図６の制御装置２１yに接続されているAVレシーバ１２１y及びBDプレーヤ１２２yについても同様のことがいえる。
＜２．変形例＞
本実施の形態では、例えば、制御装置２１xが、他の制御装置２１yを制御して所定の処理を実行させる場合の一例を、図３乃至図９を参照して説明したが、その他、例えば、図１０に示されるように、部屋８２におけるコンテンツの視聴環境が、部屋８１におけるコンテンツの視聴環境と同じになるように、制御装置２１xが、他の制御装置２１yを制御することができる。
【０１５２】
次に、図１０は、部屋８１に設置されている制御装置２１xが、部屋８２に設置されている制御装置２１yを制御して、部屋８２におけるコンテンツの視聴環境を、部屋８１におけるコンテンツの視聴環境と同一のものにする場合の一例を示している。
【０１５３】
なお、図１０において、制御装置２１xは、チューナ６１で受信したコンテンツを表示し、HDMIケーブルを介して接続された被制御装置として、AVレシーバ１４１xが接続された状態で、住居内の部屋８１に設置されている。制御装置２１xからはHDMIケーブルのARC(audio return channel)ラインを介して、制御装置２１xのチューナ６１で選択され、出力制御部６２へ送られた画像信号及び音声信号のうち、音声信号がAVレシーバ１４１xに供給されている。なお、ARCラインとは、HDMIケーブルに含まれる信号線の１つであって、TMDSラインとは逆方向に音声信号を伝送するのに用いる信号線を表す。
【０１５４】
また、図１０において、制御装置２１yは、HDMIケーブルを介して接続された被制御装置として、AVレシーバ１４１yが接続された状態で、住居内の部屋８２に設置されている。制御装置２１yからはHDMIケーブルのARCラインを介して、チューナ６１で選択され、出力制御部６２へ送られた画像信号及び音声信号のうち、音声信号がAVレシーバ１４１yに供給されている。
【０１５５】
制御装置２１xは、ユーザが、部屋８２におけるコンテンツの視聴環境を、部屋８１におけるコンテンツの視聴環境と同じにするための操作を、リモートコントローラ４１xを用いて行なったことに対応して、リモートコントローラ４１xから送信されてくる操作信号を受信した場合に、他の制御装置２１yを制御する。
【０１５６】
すなわち、例えば、制御装置２１xは、リモートコントローラ４１xからの操作信号に応じて、CECライン経由で、AVレシーバ１４１xから出力される音声の音量を表す音量情報を取得する。また、制御装置２１xは、表示中のコンテンツを特定するためのチャンネル番号等を、内蔵するチューナ６１から取得する。
【０１５７】
そして、制御装置２１xは、取得した音量情報及びチャンネル番号等が、パラメータとして付加された環境設定コマンドであって、部屋８２の視聴環境を部屋８１の視聴環境と同一のものにするための環境設定コマンドを生成し、ルータ２２を介して制御装置２１yに送信する。
【０１５８】
制御装置２１yは、制御装置２１xからルータ２２を介して送信されてくる環境設定コマンドに基づいて、CECライン経由でAVレシーバ１４１yを制御し、AVレシーバ１４１yから出力される音声の音量を、環境設定コマンドに付加されている音量情報が表す音量（AVレシーバ１４１xから出力される音声の音量）に設定する。
【０１５９】
また、制御装置２１yは、制御装置２１xからルータ２２を介して送信されてくる環境設定コマンドに基づいて、環境設定コマンドに付加されているチャンネル番号等により特定されるコンテンツ（制御装置２１xが表示中のコンテンツ）を表示する。
【０１６０】
これにより、部屋８２の視聴環境を、部屋８１の視聴環境と同一のものとすることが可能となる。
【０１６１】
本実施の形態では、図６において、制御装置２１xは、BDプレーヤ１２２xからCECライン経由で取得した再生情報に基づいて、制御装置２１yに接続されているBDプレーヤ１２２yの再生を制御するようにしたが、これに限定されない。
【０１６２】
すなわち、例えば、図１１に示されるように、部屋８１のBDプレーヤ１２２xに代えて、制御装置２１xに表示するコンテンツを選局するセットトップボックス１６２xが設けられているとともに、部屋８２のBDプレーヤ１２２yに代えて、制御装置２１yに表示するコンテンツを選局するセットトップボックス１６２yが設けられている場合には、制御装置２１xは、セットトップボックス１６２xからCECライン経由で取得した選局情報に基づいて、制御装置２１yに接続されているセットトップボックス１６２yの選局を制御することができる。
【０１６３】
また、本実施の形態では、図３において、例えば、ユーザが、部屋８１において、制御装置２１xが表示中のコンテンツを録画するための録画操作を、リモートコントローラ４１xを用いて行ったことに対応して、部屋８２の記録再生装置１０１に、制御装置２１xが表示中のコンテンツを録画させるようにしたが、これに限定されない。
【０１６４】
すなわち、例えば、図３において、ユーザが、部屋８１の制御装置２１xに、EPG(electronic program guide)を表示させ、表示されたEPGを用いて、所定のコンテンツを録画予約する操作を行った場合についても同様に、部屋８２の記録再生装置１０１に、録画予約された所定のコンテンツを録画させるようにすることができる。
【０１６５】
また、例えば、図３の制御装置２１xは、記録再生装置１０１が内蔵するハードディスクに記録されているコンテンツを、所定の再生位置から再生させるようにすることもできる。具体的には、例えば、図３の制御装置２１xは、記録再生装置１０１が内蔵するハードディスクに記録されているコンテンツを再生させるためのコマンドを生成し、所定の再生位置をパラメータとして付加する。そして、制御装置２１xは、所定の再生位置がパラメータとして付加されたコマンドを、ルータ２２を介して制御装置２１yに送信することにより、制御装置２１yに記録再生装置１０１を制御させてコンテンツを所定の再生位置から再生させる。
【０１６６】
さらに、本実施の形態では、図６において、制御装置２１xは、AVレシーバ１２１xからCECライン経由で取得した音量情報に基づいて、制御装置２１yを制御して、制御装置２１yに接続されているAVレシーバ１２１yの音量を、音量情報が表す音量に設定させるようにしたが、これに限定されない。
【０１６７】
すなわち、例えば、図６において、制御装置２１yには、AVレシーバ１２１yが接続されておらず、BDプレーヤ１２２yのみが接続されている場合、制御装置２１xは、AVレシーバ１２１xからCECライン経由で取得した音量情報に基づいて、テレビジョン受像機としての制御装置２１yを制御し、制御装置２１yから出力される音声の音量を、音声情報が表す音量に設定させるようにすることができる。
【０１６８】
本実施の形態では、複数の制御装置２１、及びルータ２２により、LAN２３を形成して、例えば、制御装置２１xが、LAN２３（のルータ２２）を介して、制御装置２１yを制御するようにしたが、これに限定されない。
【０１６９】
すなわち、例えば、複数のLANの集合により構成されるWAN(wide area network)やインターネット等のネットワークにおいて、複数のLANのうち、所定のLANを形成する制御装置２１xが、他のLANを形成する制御装置２１yを、WANやインターネット等のネットワークを介して制御するように構成することが可能である。
【０１７０】
ところで、上述した一連の処理は、専用のハードウエアにより実行させることもできるし、ソフトウエアにより実行させることもできる。一連の処理をソフトウエアにより実行させる場合には、そのソフトウエアを構成するプログラムが、いわゆる組み込み型のコンピュータ、又は、各種のプログラムをインストールすることで、各種の機能を実行することが可能な、例えば汎用のパーソナルコンピュータ等に、記録媒体からインストールされる。
【０１７１】
[コンピュータの構成例]
次に、図１２は、上述した一連の処理をプログラムにより実行するコンピュータの構成例を示している。
【０１７２】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０１７３】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０１７４】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０１７５】
また、通信部２０９を介してプログラムを取得し、記憶部２０８に記憶してもよい。
【０１７６】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０１７７】
コンピュータにインストールされ、コンピュータによって実行可能な状態とされるプログラムを記録（記憶）する記録媒体は、図１２に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０１７８】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１７９】
また、本明細書において、システムとは、複数の装置により構成される装置全体を表すものである。
【０１８０】
なお、本発明の実施の形態は、上述した本実施の形態に限定されるものではなく、本発明の要旨を逸脱しない範囲において種々の変更が可能である。
【符号の説明】
【０１８１】
１  制御システム，  ２１1乃至２１N,２１x,２１y  制御装置，  ２２  ネットワーク，  ４１x,４１y  リモートコントローラ，  ６１  チューナ，  ６２  出力制御部，  ６３  表示部，  ６４  音声出力部，  ６５  ネットワーク通信部，  ６６  制御部，  ６７  受光部
【図１】
0005429552.tif 000002
【図２】
0005429552.tif 000003
【図３】
0005429552.tif 000004
【図４】
0005429552.tif 000005
【図５】
0005429552.tif 000006
【図６】
0005429552.tif 000007
【図７】
0005429552.tif 000008
【図８】
0005429552.tif 000009
【図９】
0005429552.tif 000010
【図１０】
0005429552.tif 000011
【図１１】
0005429552.tif 000012
【図１２】
0005429552.tif 000013